(57)【要約】【課題】映像コンテンツの表示に関わる消費電力を削減する。【解決手段】この画像表示装置は、映像コンテンツを選択する選択部と、前記選択された映像コンテンツの特徴部を抽出する抽出部と、前記抽出された特徴部に基づいて、前記映像コンテンツのフレーム数を決定する決定部と、前記決定されたフレーム数で前記映像コンテンツの画像を表示する表示部と、を具備する。【選択図】図３
2011095316.tif 000002
【特許請求の範囲】
【請求項１】
映像コンテンツを選択する選択部と、
前記選択された映像コンテンツの特徴部を抽出する抽出部と、
前記抽出された特徴部に基づいて、前記映像コンテンツのフレーム数を決定する決定部と、
前記決定されたフレーム数で前記映像コンテンツの画像を表示する表示部と、
を具備することを特徴とする画像表示装置。
【請求項２】
前記抽出部は、前記映像コンテンツの特徴部として、前記選択された映像コンテンツのジャンルを抽出し、
前記決定部は、前記抽出されたジャンルに基づいて、前記映像コンテンツのフレーム数を決定する
ことを特徴とする請求項１記載の画像表示装置。
【請求項３】
前記抽出部は、前記選択された映像コンテンツのジャンルを、この映像コンテンツの番組表の情報から抽出する
ことを特徴とする請求項２記載の画像表示装置。
【請求項４】
前記抽出部は、前記番組表の情報として番組名、番組内容からジャンルのキーワードを抽出する
ことを特徴とする請求項２または３記載の画像表示装置。
【請求項５】
前記ジャンルと、前記ジャンルに対応するフレーム数をそれぞれ記憶する記憶部を
さらに備え、
前記決定部は、前記記憶部から、前記選択された映像コンテンツのジャンルに対応する前記ジャンルを検索し、この検索したジャンルに対応するフレーム数を、前記選択されたコンテンツのフレーム数に決定する
ことを特徴とする請求項２〜４のいずれか１項に記載の画像表示装置。
【請求項６】
前記抽出部は、前記選択された映像コンテンツの複数のジャンルを抽出し、
前記決定部は、前記抽出された複数のジャンルに対応する前記フレーム数から、最も多いフレーム数を前記選択された映像コンテンツのフレーム数に決定する
ことを特徴とする請求項２〜５のいずれか１項に記載の画像表示装置。
【請求項７】
前記抽出部は、前記映像コンテンツの特徴部として、前記選択された映像コンテンツのフレーム間の画像の変更量を抽出し、
前記決定部は、前記抽出された画像の変更量に基づいて、前記映像コンテンツのフレーム数を決定する
ことを特徴とする請求項１記載の画像表示装置。
【請求項８】
前記抽出部は、前記画像の変更量として、前記選択された映像コンテンツのフレーム間の動きベクトルを抽出し、
前記決定部は、前記抽出された動きベクトルに基づいて、前記映像コンテンツのフレーム数を決定する
ことを特徴とする請求項７記載の画像表示装置。
【請求項９】
映像コンテンツを選択する選択部と、
前記選択された映像コンテンツの画像視聴時に変化するユーザの人体情報を検出する検出部と、
前記検出された人体情報に基づいて、前記映像コンテンツのフレーム数を決定する決定部と、
前記決定されたフレーム数で前記映像コンテンツの画像を表示する表示部と、
を具備することを特徴とする画像表示装置。
【請求項１０】
前記検出部は、前記ユーザの人体情報として、脈拍を検出し、
前記決定部は、前記検出された脈拍数に基づいて、前記映像コンテンツのフレーム数を決定する
ことを特徴とする請求項９記載の画像表示装置。
【請求項１１】
映像コンテンツを選択するステップと、
前記選択された映像コンテンツの特徴部を抽出するステップと、
前記抽出された特徴部に基づいて、前記映像コンテンツのフレーム数を決定するステップと、
前記決定されたフレーム数で前記映像コンテンツの画像を表示するステップと、
を含むことを特徴とする画像表示方法。
【請求項１２】
前記抽出するステップでは、前記映像コンテンツの特徴部として、前記選択された映像コンテンツのジャンルを抽出し、
前記決定するステップでは、前記抽出されたジャンルに基づいて、前記映像コンテンツのフレーム数を決定する
ことを特徴とする請求項１１記載の画像表示方法。
【請求項１３】
前記抽出するステップでは、前記映像コンテンツの特徴部として、前記選択された映像コンテンツのフレーム間の画像の変更量を抽出し、
前記決定するステップでは、前記抽出された画像の変更量に基づいて、前記映像コンテンツのフレーム数を決定する
ことを特徴とする請求項１１記載の画像表示方法。
【請求項１４】
前記抽出するステップでは、前記画像の変更量として、前記選択された映像コンテンツのフレーム間の動きベクトルを抽出し、
前記決定するステップでは、前記抽出された動きベクトルに基づいて、前記映像コンテンツのフレーム数を決定する
ことを特徴とする請求項１３記載の画像表示方法。
【請求項１５】
映像コンテンツを選択するステップと、
前記選択された映像コンテンツの画像視聴時に変化するユーザの人体情報を検出するステップと、
前記検出された人体情報に基づいて、前記映像コンテンツのフレーム数を決定するステップと、
前記決定されたフレーム数で前記映像コンテンツの画像を表示するステップと、
を含むことを特徴とする画像表示方法。
【発明の詳細な説明】
【技術分野】
【０００１】
本発明は、映像コンテンツの画像を最適なフレーム数で表示する画像表示装置および画像表示方法に関する。
【背景技術】
【０００２】
映像コンテンツの画像を表示する液晶テレビは、動画を表現するために、静止画を連続して表示する。通常の液晶テレビでは、１秒間に６０コマ（６０Ｈｚ）表示されるが、近年では１秒間のコマ数を増やして、動画表現を滑らかにしようとする傾向がある。特に最近のテレビでは１秒間に２４０コマ表示が主流になりつつある。
【０００３】
一方、近年ではエネルギー資源の枯渇問題などから画像表示装置の低消費電力化が要望されている。
そこで、再生画像がＭＰＥＧ動画像圧縮符号化方式の画像であった場合に、ＭＰＥＧ動画像圧縮符号化方式の画像信号から得られるアドレス情報と画像の差分情報を利用して、変化のあった領域の画像部分だけを書き替える液晶（ＬＥＤ）表示装置が提案されている（例えば特許文献１参照）。
【先行技術文献】
【特許文献】
【０００４】
【特許文献１】特開２０００−２８４７５５号公報
【発明の概要】
【発明が解決しようとする課題】
【０００５】
しかしながら、上記した先行技術には、映像コンテンツのフレーム数が固定であるため、映像コンテンツが属する場合であっても消費電力はほぼ変わることはなかった。
【０００６】
本発明は、このような課題を解決するためになされたもので、映像コンテンツの表示によってはさらに消費電力が削減できる画像表示装置および画像表示方法を提供することを目的とする。
【課題を解決するための手段】
【０００７】
上記の課題を解決するために本発明の画像表示装置は、映像コンテンツを選択する選択部と、前記選択された映像コンテンツの特徴部を抽出する抽出部と、前記抽出された特徴部に基づいて、前記映像コンテンツのフレーム数を決定する決定部と、前記決定されたフレーム数で前記映像コンテンツの画像を表示する表示部と、を具備することを特徴とする。
【０００８】
また、本発明の画像表示装置は、映像コンテンツを選択する選択部と、前記選択された映像コンテンツの画像視聴時に変化するユーザの人体情報を検出する検出部と、前記検出された人体情報に基づいて、前記映像コンテンツのフレーム数を決定する決定部と、前記決定されたフレーム数で前記映像コンテンツの画像を表示する表示部と、を具備することを特徴とする。
【０００９】
また、本発明の画像表示方法は、映像コンテンツを選択するステップと、前記選択された映像コンテンツの特徴部を抽出するステップと、前記抽出された特徴部に基づいて、前記映像コンテンツのフレーム数を決定するステップと、前記決定されたフレーム数で前記映像コンテンツの画像を表示するステップと、を含むことを特徴とする。
【００１０】
また、本発明の画像表示方法は、映像コンテンツを選択するステップと、前記選択された映像コンテンツの画像視聴時に変化するユーザの人体情報を検出するステップと、前記検出された人体情報に基づいて、前記映像コンテンツのフレーム数を決定するステップと、前記決定されたフレーム数で前記映像コンテンツの画像を表示するステップと、を含むことを特徴とする。
【発明の効果】
【００１１】
本発明によれば、映像コンテンツの表示に関わる消費電力を削減することができる。
【図面の簡単な説明】
【００１２】
【図１】本発明の一実施形態に係る画像表示装置の概略構成を表す構成図である。
【図２】本発明の一実施形態に係るリモコンの概略構成を示す構成図である。
【図３】本発明の実施形態１に係る画像表示装置を表すブロック図である。
【図４】図３に示したフレーム数データベースの構成を示す図である。
【図５】フレーム挿入タイミングを説明するための図である。
【図６】図３に示した画像表示装置の画像表示動作を説明するためのフローチャートである。
【図７】本発明の実施形態２に係る画像表示装置を表すブロック図である。
【図８】図７に示した動きベクトル抽出部が抽出する動きベクトル情報の一例を示す図である。
【図９】図７に示した画像表示装置の画像表示動作を説明するためのフローチャートである。
【図１０】本発明の実施形態３に係る画像表示装置を表すブロック図である。
【図１１】図１０に示した画像表示装置の画像表示動作を説明するためのフローチャートである。
【発明を実施するための形態】
【００１３】
以下、本発明の実施の形態について図面を参照しながら説明する。本実施形態では、画像表示装置としてデジタル放送受信装置を例として説明する。
【００１４】
（実施形態１）
図１は本発明の一実施形態に係る画像表示装置１０の概略構成を表す構成図である。図２は、本発明の一実施形態に係るリモコンの概略構成を示す構成図である。図３は、本発明の実施形態１に係る画像表示装置を表すブロック図である。
【００１５】
図１に示すように、画像表示装置１０は、アンテナ１１（図３参照）からデジタル放送電波を受信する。画像表示装置１０は、有料放送の受信履歴を映像配信サービス事業者の図示しないコンテンツ配信サーバに対して送信する。画像表示装置１０は、コンテンツ配信サーバからコンテンツを取得する。また、画像表示装置１０には、たとえば図示しない、コンテンツ音声を発生するスピーカ、限定受信用のＢＣＡＳ(BS Conditional Access Systems)カードを挿入するためのカードスロットなどを備える。画像表示装置１０は、リモートコントローラ（以下、「リモコン」という）１００によって遠隔操作可能になっている。
【００１６】
図２に示すように、リモコン１００は、画像表示装置１０の操作部２２（図３参照）の一部として機能する。リモコン１００は、テレビ機能操作スイッチ群１３０、表示機能操作スイッチ群１４０、録画再生操作スイッチ群１５０、数値入力スイッチ群１６０を備える。録画再生操作スイッチ群１５０は、コンテンツの抽出要求を画像表示装置１０へ送信するための指示を入力するコンテンツ抽出スイッチ１５１を備える。リモコン１００は、このコンテンツ抽出スイッチ１５１からの入力に基づいて、コンテンツの抽出要求を画像表示装置１０へ送信する。リモコン１００は、複数のコンテンツから１つのコンテンツを視聴するために選択する選択部として機能する。
【００１７】
また、リモコン１００は、録画再生操作スイッチ群１５０や数値入力スイッチ群１６０などを使用して、後述するフレーム数データベース１７（図３参照）に記憶されているジャンルに対応するフレーム数の変更を可能にする。
これにより、本実施形態では、ユーザの好みにあわせたフレーム数の設定が可能になり、画像表示装置の汎用性を高めることができる。
【００１８】
図３に示すように、画像表示装置１０は、アンテナ１１、チューナ部１２、デコード部１３、一時格納メモリ１４、ジャンル抽出部１５、最適フレーム数決定部１６、フレーム数データベース１７、フレームタイミング算出部１８、フレーム作成部１９、表示制御部２０、ディスプレイ２１、操作部２２、受光部２３を有する。
【００１９】
操作部２２は、図示しない、電源ボタン、停止ボタン、再生ボタン、録画ボタン、早送りボタン、巻戻しボタンを有する。電源ボタンは、画像表示装置１０の電源をオン／オフするためのボタンである。停止ボタンは、コンテンツデータの再生、録画などの停止操作を行うためのボタンである。再生ボタンは、コンテンツデータの再生操作を行うためのボタンである。録画ボタンは、コンテンツデータを図示しない光ディスクまたは磁気ディスクに記憶させる録画操作を行うためのボタンである。早送りボタンは、再生中のコンテンツデータの早送り操作を行うためのボタンである。巻戻しボタンは、再生中のコンテンツデータの巻戻し操作を行うためのボタンである。
【００２０】
受光部２３は、リモコン１００からのコンテンツの抽出要求を含む操作信号（たとえば赤外線信号）を受信する。
チューナ部１２は、たとえばデジタルチューナから構成され、アンテナ１１を介してデジタル放送電波で送られてくるコンテンツデータを受信・選局する。
デコード部１３は、この受信されたコンテンツデータの画像信号をディスプレイ２１に表示できる信号にデコードする。
【００２１】
一時格納メモリ１４は、この受信されたコンテンツデータの画像信号などを一時格納しておくものである。なお、磁気ディスクは、受信データを処理したコンテンツデータ、番組表情報、操作履歴データ、グループ情報、閾値、プログラムを記憶する。番組表情報は、たとえばＥＰＧ(Electronic Program Guide)やＥＣＧ(Electronic Content Guide)などの電子番組表である。
【００２２】
ジャンル抽出部１５は、受信した番組表情報、上述したＥＰＧやＥＣＧなどの電子番組表から選局された番組（コンテンツデータ）のジャンル（特徴部）を抽出する。ジャンル抽出部１５は、この番組表情報として番組名、番組内容からジャンルのキーワードを抽出する。すなわち、ジャンル抽出部１５は、フレーム数データベース１７で後述する、番組大ジャンル、小ジャンルのキーワードを抽出する。なお、この抽出では、複数の番組大ジャンルおよび小ジャンルが抽出される場合がある。
【００２３】
最適フレーム数決定部１６は、フレーム数データベース１７から、ジャンル抽出部１５で抽出されたジャンルに対応するジャンルを検索する。さらに、最適フレーム数決定部１６は、この検索したジャンルに対応するコンテンツデータの最適フレーム数を決定する。なお、ジャンル抽出部１５で抽出されたジャンルが複数ある場合、最適フレーム数決定部１６は、フレーム数が最も多く設定されている小ジャンルのフレーム数を、コンテンツデータの最適フレーム数として決定する。
【００２４】
図４は、図３に示したフレーム数データベース１７の構成を示す図である。
図４に示すように、フレーム数データベース１７は、たとえば「スポーツ」、「教養」、「バラエティ」などの「番組大ジャンル」と、「野球」、「ニュース」、「お笑い」などの「小ジャンル」と、この「小ジャンル」に対応する「フレーム数」とから構成される。たとえば、フレーム間で部分的に動きの大きいジャンル「スポーツ」−「野球」に対応する「フレーム数」は、１２０／１secであり、フレーム間で全体的に動きの大きいジャンル「スポーツ」−「サッカー」に対応する「フレーム数」は、２４０／１secであり、フレーム間で動きの小さいジャンル「教養」−「ニュース」に対応する「フレーム数」は、６０／１secである。
【００２５】
フレームタイミング算出部１８は、現在のフレーム数を最適フレーム数決定部１６で決定されたフレーム数に変換するものである。
図５は、フレーム挿入タイミングを説明するための図である。
本実施形態に係る画像表示装置１０は、たとえば１秒間に６０コマ（６０Ｈｚ）の表示をデフォルトで２４０コマ（２４０Ｈｚ）表示に補完している。そこで、フレームタイミング算出部１８は、６０Ｈｚのフレーム数を最適フレーム数決定部１６で決定された、たとえば１２０Ｈｚのフレーム数に変換するタイミングを算出する。
【００２６】
つまり、フレームタイミング算出部１８は、６０Ｈｚのフレームから、図５に示すように１２０Ｈｚのフレーム数に変換する場合には、連続するフレームを１つおきに補完するタイミングを算出している。
【００２７】
また、フレームタイミング算出部１８は、１２０Ｈｚのフレーム数に変換する場合には、連続するフレームに対し、１つおきにフレームを増やしていくものとする。
【００２８】
フレーム作成部１９は、フレームタイミング算出部１８によって算出されたタイミングで表示するためのフレームを作成するものである。
表示制御部２０は、フレーム作成部１９によって作成されたフレームで画像をディスプレイ２１に表示させるための制御を行う。
ディスプレイ２１は、たとえば液晶ディスプレイからなり、フレーム作成部１９によって作成されたフレーム数で映像コンテンツの画像を表示する。
【００２９】
次に、図６を参照してこの画像表示装置１０の画像表示動作を説明する。
まず、この画像表示装置１０では、アンテナ１１を介してチューナ部１２が、選局されたテレビ局からデジタル放送などのテレビ放送（コンテンツデ−タ）を受信する（ステップＳ１０１）。ジャンル抽出部１５が、受信した番組表情報から選局されたコンテンツデータのジャンル（番組大ジャンル、小ジャンル）を抽出する（ステップＳ１０２）。
【００３０】
次に、最適フレーム数決定部１６が、フレーム数データベース１７にアクセスして、この抽出されたジャンルに対応するジャンルを検索し、この検索したジャンルに対応するフレーム数を検知する。そして、この検知したフレーム数をコンテンツデータの最適フレーム数として決定する（ステップＳ１０３）。なお、抽出されたジャンルが複数ある場合は、検知したフレーム数の中から最も多いフレーム数を、コンテンツデータの最適フレーム数として決定する。
【００３１】
次に、フレームタイミング算出部１８が、決定されたフレーム数で画像を表示するために、フレームの作成タイミングを算出する（ステップＳ１０４）。そして、フレーム作成部１９が、この算出されたタイミングでフレームを補完し、表示のためのフレームを作成する（ステップＳ１０５）。
そして、表示制御部２０が、この作成されたフレームを用いてディスプレイ２１への映像コンテンツの画像表示を行う（ステップＳ１０６）。
【００３２】
このように、この実施形態に係る画像表示装置によれば、映像コンテンツの内容（番組ジャンル）にあわせたフレーム数を表示するので、不要な表示を削減して映像コンテンツの表示に関わる消費電力を削減することができる。
【００３３】
また、本実施形態では、番組ジャンルに基づいたフレーム数で画像を表示するので、ジャンル毎に異なる固定フレーム数で映像コンテンツの画像を表示することができる。
【００３４】
（実施形態２）
図７は、本発明の実施形態２に係る画像表示装置１０を表すブロック図である。
本実施形態が実施形態１と異なる点は、映像コンテンツの特徴点として、フレーム間の動きベクトルを抽出し、この動きベクトルに基づいて、映像コンテンツのフレーム数を決定する点である。
図７に示すように、本実施形態では、実施形態１のジャンル抽出部１５に代えて、動きベクトル抽出部２４を備える。動画像は画素ごとに動きベクトル情報を持つので、その情報量は莫大である。そこで、動きベクトル抽出部２４は、たとえばブロックマッチングの抽出方法を用いてフレームのブロックごとに動きベクトル情報を抽出する。
【００３５】
図８は、図７に示した動きベクトル抽出部２４が抽出する動きベクトル情報の一例を示す図である。
図８において、横軸は動きベクトルの大きさを表し、縦軸は任意の動きベクトルを有するブロックの度数（動きの大きさ）を表す。ここで、ブロックとは、たとえば映像コンテンツのフレームを、ｍ×ｎ画素の領域に分割した場合の各領域を意味する。
【００３６】
この図８を考察すると、ブロックの動きベクトルは動きの小さい方へ偏っていることが認識される。このことから、フレームは、以前のフレームを基準に動きの小さいフレーム、すなわち静止画に近いものとなっている。
【００３７】
本実施形態では、たとえばこの度数に２つの閾値ｓ１，ｓ２を設定し、最適フレーム数決定部１６が、抽出された動きベクトル情報と閾値ｓ１，ｓ２に基づいて、映像コンテンツのフレーム数を決定する。すなわち、最適フレーム数決定部１６は、度数がｓ１以上の場合は２４０Ｈｚのフレーム数を最適フレーム数に決定し、度数がｓ２以上でｓ１未満の場合は１２０Ｈｚのフレーム数を最適フレーム数に決定し、度数がｓ２未満の場合は６０Ｈｚのフレーム数を最適フレーム数に決定する。なお、ブロックごとに決定された最適フレーム数が異なる場合は、最も多いフレーム数を最適フレーム数に決定する。
【００３８】
フレーム数データベース１７は、この設定された閾値の上記範囲と、この範囲での最適フレーム数が対応づけて記憶されている。すなわち、度数ｘがｘ≧ｓ１のときに２４０Hｚの最適フレーム数が、ｓ１＞ｘ≧ｓ２のときに１２０Hｚの最適フレーム数が、ｘ＜ｓ２のときに６０Hｚの最適フレーム数が対応づけて記憶されている。最適フレーム数決定部１６は、この記憶された対応関係から、抽出された動きベクトルでの最適フレーム数を決定することができる。
【００３９】
次に、図９を参照してこの画像表示装置１０の画像表示動作を説明する。
まず、この画像表示装置１０では、チューナ部１２が、選局されたテレビ局からデジタル放送などのテレビ放送を受信し（ステップＳ２０１）、動きベクトル抽出部２４が、フレーム間の動きベクトルをブロックごとに抽出する（ステップＳ２０２）。
【００４０】
次に、最適フレーム数決定部１６が、フレーム数データベース１７にアクセスして、この抽出されたジャンルに対応するジャンルを検索し、この検索したジャンルに対応するフレーム数を検知する。そして、この検知したフレーム数をコンテンツデータの最適フレーム数として決定する（ステップＳ２０３）。なお、抽出されたジャンルが複数ある場合は、検知したフレーム数の中から最も多いフレーム数を、コンテンツデータの最適フレーム数として決定する。
【００４１】
以降の動作は、実施形態１と同様で、フレームタイミング算出部１８が、決定されたフレーム数に基づいて、フレームの作成タイミングを算出し（ステップＳ２０４）、フレーム作成部１９が、この算出されたタイミングでフレームを作成し（ステップＳ２０５）、表示制御部２０が、この作成されたフレームを用いてディスプレイ２１への映像コンテンツの画像表示を行う（ステップＳ２０６）。
【００４２】
このように、この実施形態に係る画像表示装置によれば、映像コンテンツの内容（動きベクトル）にあわせたフレーム数を表示するので、不要な表示を削減して映像コンテンツの表示に関わる消費電力を削減することができる。
【００４３】
また、本実施形態では、動きベクトルに基づいたフレーム数で画像を表示するので、抽出される動きベクトル情報の経時変化に応じて変動する最適フレーム数で映像コンテンツの画像を順次表示することができる。
【００４４】
（実施形態３）
図１０は、本発明の実施形態３に係る画像表示装置１０を表すブロック図である。
本実施形態が実施形態１と異なる点は、選択された映像コンテンツの画像視聴時に変化するユーザの人体情報に基づいて、映像コンテンツのフレーム数を決定する点である。
図１０に示すように、本実施形態では、実施形態１のジャンル抽出部１５に代えて、人体情報検出部２５を備える。この人体情報検出部２５は、ユーザの脈拍を検出するもので、たとえばデジタル脈拍計から構成される。
【００４５】
本実施形態では、たとえばこの脈拍数に２つの閾値ｔ１，ｔ２を設定し、最適フレーム数決定部１６が、検出された脈拍数と閾値ｔ１，ｔ２に基づいて、映像コンテンツのフレーム数を決定する。すなわち、最適フレーム数決定部１６は、脈拍数ｙがｙ≧ｔ１のときに２４０Hｚのフレーム数を最適フレームに決定し、ｔ１＞ｙ≧ｔ２のときに１２０Hｚのフレーム数を最適フレームに決定し、ｙ＜ｔ２のときに６０Hｚのフレーム数を最適フレームに決定する。
【００４６】
フレーム数データベース１７は、この設定された閾値の上記範囲と、この範囲での最適フレーム数が対応づけて記憶されている。すなわち、脈拍数ｙがｙ≧ｔ１のときに２４０Hｚの最適フレームが、ｔ１＞ｙ≧ｔ２のときに１２０Hｚの最適フレームが、ｙ＜ｔ２のときに６０Hｚの最適フレーム数が対応づけて記憶されている。最適フレーム数決定部１６は、この記憶された対応関係から、検出された脈拍での最適フレーム数を決定することができる。
【００４７】
次に、図１１を参照してこの画像表示装置１０の画像表示動作を説明する。
まず、チューナ部１２が、選局されたテレビ局からデジタル放送などのテレビ放送を受信し（ステップＳ３０１）、表示制御部２０が、予め設定されたフレーム数、たとえば２４０Ｈｚのフレーム数で作成されたフレームを用いてディスプレイ２１への映像コンテンツの画像表示を行う（ステップＳ３０２）。
【００４８】
次に、人体情報検出部２５が、映像コンテンツの画像を視聴しているユーザの脈拍を検出する（ステップＳ３０３）。次に、最適フレーム数決定部１６が、フレーム数データベース１７にアクセスして、この検出された脈拍数が含まれる脈拍の範囲を検索し、この検索した脈拍の範囲に対応する最適フレーム数を検知する。そして、この検知したフレーム数をコンテンツデータの最適フレーム数として決定する（ステップＳ３０４）。
【００４９】
以降の動作は、実施形態１と同様で、フレームタイミング算出部１８が、決定されたフレーム数に基づいて、フレームの作成タイミングを算出し（ステップＳ３０５）、フレーム作成部１９が、この算出されたタイミングでフレームを作成し（ステップＳ３０６）、表示制御部２０が、この作成されたフレームを用いてディスプレイ２１への映像コンテンツの画像表示を行う（ステップＳ３０７）。
【００５０】
このように、この実施形態に係る画像表示装置によれば、映像コンテンツの画像を視聴するユーザの脈拍にあわせたフレーム数を表示するので、不要な表示を削減して映像コンテンツの表示に関わる消費電力を削減することができる。
【００５１】
なお、本実施形態では、ユーザの脈拍を検出し、この脈拍数に基づいて、最適フレーム数を決定したが、本発明はこれに限らず、たとえば選択された映像コンテンツを視聴しているときのユーザの発汗状態や脳波の状態を検出し、この発汗量や脳波の波形に基づいて、最適フレーム数を決定してもよいし、また脈拍を含むこれらの検出結果を組み合せて用い、これら組み合せの結果に基づいて、最適フレーム数を決定してもよい。
【００５２】
なお、本願発明は、上記実施形態のみに限定されるものではなく、実施段階ではその要旨を逸脱しない範囲で構成要素を変形してもよい。また、上記実施形態に開示されている複数の構成要素を適宜組み合わせることにより、種々の発明を構成できる。例えば実施形態に示される全構成要素から幾つかの構成要素を削除してもよい。さらに、異なる実施形態にわたる構成要素を適宜組み合わせてもよい。
【符号の説明】
【００５３】
１０…画像表示装置、１１…アンテナ、１２…チューナ部、１３…デコード部、１４…一時格納メモリ、１５…ジャンル抽出部、１６…最適フレーム数決定部、１７…フレーム数データベース、１８…フレームタイミング算出部、１９…フレーム作成部、２０…表示制御部、２１…ディスプレイ、２２…操作部、２３…受光部、２４…動きベクトル抽出部、２５…人体情報検出部、１００…リモコン。
【図１】
2011095316.tif 000003
【図２】
2011095316.tif 000004
【図３】
2011095316.tif 000005
【図４】
2011095316.tif 000006
【図５】
2011095316.tif 000007
【図６】
2011095316.tif 000008
【図７】
2011095316.tif 000009
【図８】
2011095316.tif 000010
【図９】
2011095316.tif 000011
【図１０】
2011095316.tif 000012
【図１１】
2011095316.tif 000013